【手続補正書】
【提出日】平成17年7月25日(2005.7.25)
【手続補正１】
【補正対象書類名】明細書
【補正対象項目名】特許請求の範囲
【補正方法】変更
【補正の内容】
【特許請求の範囲】
【請求項１】
１つまたは２つ以上の同一のまたは異なる繰り返し単位を含む、モノマー、オリゴマーまたはポリマーであって、式Ｉ
−［（Ｙ）ａ−（Ｄ）ｂ−（Ｚ）ｃ］−        Ｉ
式中、
Ｄは、式ＩＩ
【化１】
2003192772.tif 000001
で表される３−置換４−フルオロチオフェン基であり、
Ｒ１は、非置換であるか、Ｆ、Ｃｌ、Ｂｒ、Ｉ、−ＣＮまたは−ＯＨにより一置換または多置換されていることができる、１〜２０個のＣ原子を有する直鎖状、分枝状または環状アルキルであり、また、１つまたは２つ以上の隣接していないＣＨ２基は、各々の場合において、互いに独立して、Ｏおよび／またはＳ原子が互いに直接結合しないように、−Ｏ−、−Ｓ−、−ＮＨ−、−ＮＲ０−、−ＳｉＲ０Ｒ００−、−ＣＯ−、−ＣＯＯ−、−ＯＣＯ−、−ＯＣＯ−Ｏ−、−Ｓ−ＣＯ−、−ＣＯ−Ｓ−、−ＣＨ＝ＣＨ−または−Ｃ=Ｃ−により置換されていることができ、あるいは任意に、置換されたアリールまたはヘテロアリールであり、
Ｒ０およびＲ００は、互いに独立して、Ｈまたは１〜１２個のＣ原子を有するアルキルであり、
ＹおよびＺは、互いに独立して、−ＣＸ１＝ＣＸ２−、−Ｃ=Ｃ−または任意に、置換されたアリーレンまたはヘテロアリーレンであり、
Ｘ１およびＸ２は、互いに独立して、Ｈ、Ｆ、ＣｌまたはＣＮであり、および
ａ、ｂおよびｃは、互いに独立して、０または１であり、ａ＋ｂ＋ｃ＞０であり、ここで、少なくとも１つの繰り返し単位において、ｂは、１である、
で表される、前記モノマー、オリゴマーまたはポリマー。
【請求項２】
重合または架橋反応が可能である少なくとも１つの反応性基をさらに含む、請求項１に記載のモノマー、オリゴマーまたはポリマー。
【請求項３】
メソゲン性または液晶性である、請求項１または２に記載のモノマー、オリゴマーまたはポリマー。
【請求項４】
少なくとも２つの繰り返し単位を含み、この少なくとも１つが、式Ｉで表される繰り返し単位を含む、請求項１〜３のいずれかに記載のオリゴマーまたはポリマー。
【請求項５】
請求項１〜４のいずれかに記載のモノマー、オリゴマーまたはポリマーであって、式Ｉ１
Ｒ４−［（Ｙ）ａ−（Ｄ）ｂ−（Ｚ）ｃ］ｎ−Ｒ５        Ｉ１
式中、Ｙ、Ｚ、Ｄ、ａ、ｂおよびｃは、式Ｉにおいて定義した通りであり、
ｎは、１〜５０００の整数であり、
Ｒ４およびＲ５は、互いに独立して、Ｈ、ハロゲン、Ｓｎ（Ｒ０）３または、非置換であるか、Ｆ、Ｃｌ、Ｂｒ、Ｉ、−ＣＮまたは−ＯＨにより一置換または多置換されていることができる、１〜２０個のＣ原子を有する直鎖状、分枝状または環状アルキルであり、また、１つまたは２つ以上の隣接していないＣＨ２基は、各々の場合において、互いに独立して、Ｏおよび／またはＳ原子が互いに直接結合しないように、−Ｏ−、−Ｓ−、−ＮＨ−、−ＮＲ０−、−ＳｉＲ０Ｒ００−、−ＣＯ−、−ＣＯＯ−、−ＯＣＯ−、−ＯＣＯ−Ｏ−、−Ｓ−ＣＯ−、−ＣＯ−Ｓ−、−ＣＨ＝ＣＨ−または−Ｃ=Ｃ−により置換されていることができ、あるいは任意に置換されたアリールまたはヘテロアリールであるか、またはＰ−Ｓｐ−Ｘを示し、
Ｐは、重合可能な、または反応性基であり、
Ｓｐは、スペーサー基または単結合であり、および
Ｘは、−Ｏ−、−Ｓ−、−ＯＣＨ２−、−ＣＨ２Ｏ−、−ＣＯ−、−ＣＯＯ−、−ＯＣＯ−、−ＯＣＯ−Ｏ−、−ＣＯ−ＮＲ０−、−ＮＲ０−ＣＯ−、−ＯＣＨ２−、−ＣＨ２Ｏ−、−ＳＣＨ２−、−ＣＨ２Ｓ−、−ＣＨ＝ＣＨ−ＣＯＯ−、−ＯＯＣ−ＣＨ＝ＣＨ−または単結合であり、
およびここで、Ｒ０およびＲ００は、請求項１において定義した通りであり、繰り返し単位［（Ｙ）ａ−（Ｄ）ｂ−（Ｚ）ｃ］は、同一であるかまたは異なることができる、
で表される、前記モノマー、オリゴマーまたはポリマー。
【請求項６】
請求項５に記載のモノマー、オリゴマーまたはポリマーであって、以下の式
【化２】
2003192772.tif 000002
式中、
Ｒ１、Ｘ１およびＸ２は、式ＩおよびＩＩにおいて示した意味を有し、
Ｒ４、Ｒ５およびｎは、式Ｉ１において示した意味を有し、
Ｒ２、Ｒ３は、互いに独立して、式ＩＩにおいて示したＲ１の意味の１つを有し、および／またはＨ、Ｆ、Ｃｌおよび／またはＣＮであり、
Ａｒは、また縮合環を含むことができ、任意にＦ、Ｃｌおよび／または式ＩＩにおいて定義した基Ｒ１で一置換または多置換されている、２５個までのＣ原子を有する２価の単環式、二環式または三環式芳香族または複素芳香族基である、
から選択される、前記モノマー、オリゴマーまたはポリマー。
【請求項７】
Ｒ４およびＲ５が、式ＩＩにおいて示したＲ１の意味の１つを有する、請求項５または６に記載のモノマー、オリゴマーまたはポリマー。
【請求項８】
Ｒ４およびＲ５の一方または両方が、Ｐ−Ｓｐ−Ｘを示し、ここで、Ｐ、ＳｐおよびＸは、式Ｉ１において定義した通りである、請求項５または６に記載のモノマー、オリゴマーまたはポリマー。
【請求項９】
請求項５、６または８に記載のモノマー、オリゴマーまたはポリマーであって、Ｐが、ＣＨ２＝ＣＷ１−ＣＯＯ−、
【化３】
2003192772.tif 000003
ＣＨ２＝ＣＷ２−（Ｏ）ｋ１−、ＣＨ３−ＣＨ＝ＣＨ−Ｏ−、ＨＯ−ＣＷ２Ｗ３−、ＨＳ−ＣＷ２Ｗ３−、ＨＷ２Ｎ−、ＨＯ−ＣＷ２Ｗ３−ＮＨ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、Ｐｈｅ−ＣＨ＝ＣＨ−、ＨＯＯＣ−、ＯＣＮ−およびＷ４Ｗ５Ｗ６Ｓｉ−から選択されており、Ｗ１は、Ｈ、Ｃｌ、ＣＮ、フェニルまたは１〜５個のＣ原子を有するアルキル、特にＨ、ＣｌまたはＣＨ３であり、Ｗ２およびＷ３は、互いに独立して、Ｈまたは１〜５個のＣ原子を有するアルキル、特にメチル、エチルまたはｎ−プロピルであり、Ｗ４、Ｗ５およびＷ６は、互いに独立して、Ｃｌ、１〜５個のＣ原子を有するオキサアルキルまたはオキサカルボニルアルキルであり、Ｐｈｅは、１，４−フェニレンであり、ｋ１およびｋ２は、互いに独立して０または１である、前記モノマー、オリゴマーまたはポリマー。
【請求項１０】
ｎが、１〜１５の整数である、請求項５〜９のいずれかに記載のモノマー、オリゴマーまたはポリマー。
【請求項１１】
重合可能な液晶物質であって、少なくとも１つの重合可能な基を含む請求項１〜１０のいずれかに記載の１種または２種以上のモノマー、オリゴマーまたはポリマーおよび、１種または２種以上の他の重合可能な化合物を任意に含み、ここで、前記少なくとも１種のモノマー、オリゴマーもしくはポリマーおよび／または他の重合可能な化合物が、メソゲン性または液晶性である、前記重合可能な液晶物質。
【請求項１２】
液晶相において巨視的に均一な配向に整列し、重合または架橋して、配向した状態を固定する、請求項１１に記載の重合可能な液晶物質から得られる電荷移動特性を有する異方性ポリマーフィルム。
【請求項１３】
側鎖液晶ポリマーであって、請求項１〜１０のいずれかに記載の１種または２種以上のモノマーもしくはオリゴマーまたは請求項１１に記載の重合可能な物質の重合により、または、請求項１〜１０のいずれかに記載の１種または２種以上のモノマーもしくはオリゴマーまたは請求項１１に記載の重合可能な物質を、任意に、１種または２種以上の追加のメソゲン性または非メソゲン性コモノマーと共に、重合類似反応において、ポリマー主鎖にグラフトすることにより得られる、前記側鎖液晶ポリマー。
【請求項１４】
請求項１〜１０のいずれかに記載のモノマー、オリゴマーもしくはポリマー、請求項１１に記載の重合可能な物質、請求項１２に記載のポリマーフィルム、または請求項１３に記載のポリマーの使用であって、光学的、電気光学的または電子デバイスにおける、または有機発光ダイオード（ＯＬＥＤ）アプリケーション、エレクトロルミネセントディスプレイデバイス、バックライト、光起電デバイス、センサーデバイスまたは電子写真式デバイスのための半導電性部品における、半導体または電荷移動物質としての前記使用。
【請求項１５】
請求項１〜１０のいずれかに記載の１種または２種以上のモノマー、オリゴマーもしくはポリマー、請求項１１に記載の重合可能な物質、請求項１２に記載のポリマーフィルム、または請求項１３に記載のポリマーを含む、電界効果トランジスタ（ＦＥＴ）、ＯＬＥＤ、エレクトロルミネセントデバイス、ＲＦＩＤタグ、バックライト、光起電またはセンサーデバイス、あるいは電子写真式記録デバイス。
【請求項１６】
請求項１〜１０のいずれかに記載の１種または２種以上のモノマー、オリゴマーもしくはポリマー、請求項１１に記載の重合可能な物質、請求項１２に記載のポリマーフィルム、請求項１３に記載のポリマー、または請求項１５に記載のＦＥＴもしくはＲＦＩＤタグを含む、セキュリティーマーキングまたはデバイス。
【請求項１７】
酸化的にまたは還元的にドーピングされて、導電性イオン性種を形成する、請求項１〜１０のいずれかに記載のモノマー、オリゴマーもしくはポリマー、請求項１１に記載の重合可能な物質、請求項１２に記載のポリマーフィルム、または請求項１３に記載のポリマー。
【請求項１８】
請求項１７に記載のモノマー、オリゴマーもしくはポリマー、重合可能な物質またはポリマーフィルムを含む、電荷注入層、フラット化層、帯電防止フィルムもしくは電子的アプリケーションまたはフラットパネルディスプレイ用の導電性基板またはパターン。
【手続補正２】
【補正対象書類名】明細書
【補正対象項目名】００１０
【補正方法】変更
【補正の内容】
【００１０】
本発明の他の観点は、１つまたは２つ以上の３−置換４−フルオロチオフェン単位を含む中心核からなり、任意に、４−フルオロチオフェン単位と共に延長された共役系を形成する、他の共役部分を含み、前述の核が、任意にスペーサー基を介して、１つまたは２つの重合可能な基に結合している、反応性メソゲンに関する。反応性メソゲンは、液晶相を誘発または増強することができるか、または、それら自体液晶性である。これらは、これらの中間相において秩序づけられ、整列することができ、および重合可能な基は、インサイチュ(in situ)で重合または架橋して、高い程度の長い範囲の秩序または単一ドメインを有する干渉性ポリマーフィルムを形成し、従って高い安定性および高い電荷担体可動性を有する改善された半導体物質を得ることができる。  
【手続補正３】
【補正対象書類名】明細書
【補正対象項目名】００２９
【補正方法】変更
【補正の内容】
【００２９】
−ＹおよびＺが、任意に置換アリーレンまたはヘテロアリーレンである、
−ＹおよびＺが、−ＣＸ１＝ＣＸ２−または−Ｃ≡Ｃ−である、
−少なくとも１つのモノマー単位（Ｙ）ａ−（Ｄ）ｂ−（Ｚ）ｃにおいて、ａ、ｂおよびｃが１であり、ＹおよびＺの一方が、アリーレンまたはヘテロアリーレンであり、他方が−ＣＸ１＝ＣＸ２−または−Ｃ≡Ｃ−である、
−ｎ＝ｂ＝１およびａ＝ｃ＝０の場合において、Ｒ４およびＲ５の少なくとも一方が、Ｈとは異なる、
モノマー、オリゴマーまたはポリマーである。
【手続補正４】
【補正対象書類名】明細書
【補正対象項目名】００４７
【補正方法】変更
【補正の内容】
【００４７】
重合可能または反応性基Ｐは、好ましくは、ＣＨ２＝ＣＷ１−ＣＯＯ−、
【化６】
2003192772.tif 000004
ＣＨ２＝ＣＷ２−（Ｏ）ｋ１−、ＣＨ３−ＣＨ＝ＣＨ−Ｏ−、ＨＯ−ＣＷ２Ｗ３−、ＨＳ−ＣＷ２Ｗ３−、ＨＷ２Ｎ−、ＨＯ−ＣＷ２Ｗ３−ＮＨ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、Ｐｈｅ−ＣＨ＝ＣＨ−、ＨＯＯＣ−、ＯＣＮ−およびＷ４Ｗ５Ｗ６Ｓｉ−から選択されており、Ｗ１は、Ｈ、Ｃｌ、ＣＮ、フェニルまたは１〜５個のＣ原子を有するアルキル、特にＨ、ＣｌまたはＣＨ３であり、Ｗ２およびＷ３は、互いに独立して、Ｈまたは１〜５個のＣ原子を有するアルキル、特にメチル、エチルまたはｎ−プロピルであり、Ｗ４、Ｗ５およびＷ６は、互いに独立して、Ｃｌ、１〜５個のＣ原子を有するオキサアルキルまたはオキサカルボニルアルキルであり、Ｐｈｅは、１，４−フェニレンであり、ｋ１およびｋ２は、互いに独立して０または１である。
【手続補正５】
【補正対象書類名】明細書
【補正対象項目名】００４８
【補正方法】変更
【補正の内容】
【００４８】
特に好ましい基Ｐは、ＣＨ２＝ＣＨ−ＣＯＯ−、ＣＨ２＝Ｃ（ＣＨ３）−ＣＯＯ−、ＣＨ２＝ＣＨ−、ＣＨ２＝ＣＨ−Ｏ−および
【化７】
2003192772.tif 000005
である。
極めて好ましいのは、アクリレートおよびオキセタン基である。オキセタンは、重合（架橋）により比較的低い収縮を生じ、これにより、フィルム内の比較的低い応力発生が得られ、秩序づけの一層高い保持および一層少ない欠陥がもたらされる。オキセタン架橋はまた、陽イオン性開始剤を必要とし、これは、遊離基開始剤とは異なり、酸素に対して不活性である。
【手続補正６】
【補正対象書類名】明細書
【補正対象項目名】００５９
【補正方法】変更
【補正の内容】
【００５９】
図式３に従って、２，５−ジブロモ−３−アルキル−４−フルオロチオフェン（７）を、アルキルグリニヤール試薬と、ニッケル触媒の存在下でクロスカップリングさせて、モノアルキルアルコール（１１）を得る。ニッケル触媒の存在下でのモノアルキルアルコールのグリニヤール試薬の単独カップリングにより、ビスアルコール（１２）が得られる。ルーチンの方法により、ビスアルコール（１２）がビスアクリレートまたはビスオキセタンに転化される。
図式３：
【化１０】
2003192772.tif 000006
式中、ｍは、例えば１〜２０の整数であり、Ｇは、保護基である。